(57)【要約】【課題】吊り掛け部品及び信号線に束縛されずに、使用者がディジタルミュージックポータブルプレーヤの音声信号を聴くことができる外掛け型無線イヤフォンを提供する。【解決手段】外掛け型無線イヤフォンは、二つのスピーカ座５２、５３及び吊り掛けバンド５１を備える。二つのスピーカ座５２、５３は、それぞれ吊り掛けバンド５１の一端に取り付けられ、吊り掛けバンド５１が使用者の頭部に装着されると、二つのスピーカ座５２、５３は使用者の耳位置に位置が定められる。スピーカ座５２には収納空間５４及び定位エレメント５５が設けられる。収納空間５４は任意の仕様のディジタルミュージックポータブルプレーヤ６０を設置するために用いられ、定位エレメント５５はディジタルミュージックポータブルプレーヤ６０を収納空間５４内に堅固に固定することに用いられる。【選択図】図２
0003140184.tif 000002
【実用新案登録請求の範囲】
【請求項１】
吊り掛けバンドと、
それぞれ可動または固定に前記吊り掛けバンドの一端に取り付けられる二つのスピーカ座であって、前記吊り掛けバンドが使用者の頭部に装着されると、前記スピーカ座は使用者の耳位置に位置が定められ、各前記スピーカ座内にはそれぞれ一つのスピーカが設置され、かつその中の一つの前記スピーカ座には収納空間及び定位エレメントが設けられ、前記収納空間はディジタルミュージックポータブルプレーヤを設置することに用いられ、前記定位エレメントは前記ディジタルミュージックポータブルプレーヤを前記収納空間に堅固に固定することに用いられ、前記収納空間の周縁にはイヤフォンプラグが設けられ、前記イヤフォンプラグは方向と位置とを調整可能であり前記ディジタルミュージックポータブルプレーヤのイヤフォンジャック中への挿入に用いられ、かつ前記イヤフォンプラグはそれぞれ信号線により各前記スピーカ座内の前記スピーカに接続される前記スピーカー座と、
を備えることを特徴とする外掛け型無線イヤフォン。
【請求項２】
前記収納空間は収納溝であり、前記収納溝の大きさは異なる仕様の前記ディジタルミュージックポータブルプレーヤの設置に用いられることを特徴とする請求項１に記載の外掛け型無線イヤフォン。
【請求項３】
前記定位エレメントは弾性を備えたバンドであって、前記バンドは前記収納空間に対応する位置に取り付けられ、前記ディジタルミュージックポータブルプレーヤが前記収納空間に取り付けられると、前記バンドの中央部分は前記ディジタルミュージックポータブルプレーヤの外側に貼り当てられることを特徴とする請求項１または２に記載の外掛け型無線イヤフォン。
【請求項４】
前記収納空間の内縁底側には第１溝が設けられ、前記イヤフォンプラグは前記第１溝の中に取り付けられ、前記イヤフォンプラグは自由に回転して角度または方向を調整可能であり、かつ前記第１溝に沿って移動可能であることを特徴とする請求項３に記載の外掛け型無線イヤフォン。
【請求項５】
前記定位エレメントは定位取り付け具であって、前記定位取り付け具は移動可能に前記スピーカ座の前記収納空間に対応する位置に取り付けられ、前記ディジタルミュージックポータブルプレーヤが前記収納空間に取り付けられると、前記ディジタルミュージックポータブルプレーヤの外側を挟みかつ当て付けることを特徴とする請求項３に記載の外掛け型無線イヤフォン。
【請求項６】
前記定位取り付け具にはリリースボタンが設けられ、前記リリースボタンは前記定位取り付け具が前記ディジタルミュージックポータブルプレーヤを挟む状態を解除するために用いられることを特徴とする請求項５に記載の外掛け型無線イヤフォン。
【請求項７】
前記収納空間の底縁には支え台が設けられ、前記支え台は、前記ディジタルミュージックポータブルプレーヤが前記収納空間に取り付けられると前記ディジタルミュージックポータブルプレーヤの底部を支えるのに用いられることを特徴とする請求項３に記載の外掛け型無線イヤフォン。
【請求項８】
前記支え台には第２溝が設けられ、前記イヤフォンプラグは移動可能に前記第２溝の中に収納され、前記イヤフォンプラグは自由に移動して角度、方向及び位置を調整可能であることを特徴とする請求項７に記載の外掛け型無線イヤフォン。
【考案の詳細な説明】
【技術分野】
【０００１】
本考案はイヤフォンに関するもので、特にディジタルミュージックポータブルプレーヤの外掛け型無線イヤフォンに関する。
【背景技術】
【０００２】
ここ数年来、ディジタルミュージックポータブルプレーヤの市場は急速に拡大し、アップル（登録商標）とソニー（登録商標）等国際有名メーカ及びその他無数のメーカはこの勢い盛んに発展する市場を勝ち取るため、ともに各タイプの新製品を送り出し、並びに新しい音楽管理ソフトと組み合わせ、市場での正面交戦状況に於いて使用者の注意を獲得し、市場の上位を取得するよう希望する。アップル（登録商標）を例とすると、その「ｉＰＯＤ  Ｎａｎｏ（登録商標）」と名付けられて送り出された新型のディジタルミュージックポータブルプレーヤに使用される記憶媒体は、すでに過去のｉＰＯＤ（登録商標）中の小型ハードディスク（hard disk）からフラッシュメモリ（flush memory）に転換され、その厚さは僅か６．９ミリで、重量も４２グラムでしかなく、軽薄短小の設計目的を有効に達成し、それの記憶容量は４ＧＢと２ＧＢの二種に分けられる。
【０００３】
ソニー（登録商標）はこの市場のシェアを勝ち取るため、一挙に「ウォークマンＡ（登録商標）」系列五種類の新製品を発表し、その最大のセールスポイントは知恵型選曲機能であり、シャッフル（shuffle）再生時に自動的に現在再生中の歌手の曲風と同じような曲を検索し、または特定年代範囲を指定し、曲を検索、再生することができる。その中、フラッシュメモリを記憶媒体として使用した機種は三種あり、記憶容量はおのおの２ＧＢ、１ＧＢ及び５１２ＭＢである。
【０００４】
一般に、フラッシュメモリを使用して記憶媒体としたディジタルミュージックポータブルプレーヤは容量がハードディスク型製品に劣るが、それには体積が小さい、携帯が便利かつ使用が容易という長所がある。現在、各メーカが送り出したフラッシュメモリを使用して記憶媒体としたディジタルミュージックポータブルプレーヤの容量は、２５６ＭＢから１ＧＢの間に介在し、それらの販売価格も大幅に下落している。これにより、一般使用者に対して、このようなフラッシュメモリを使用して記憶媒体としたディジタルミュージックポータブルプレーヤは、価格がすでに一般使用者の負担できる程度に下落しただけでなく、その容量も多くの使用者のニーズに一致し、それ故にディジタルミュージックポータブルプレーヤの市場於いてそのシェアは大幅にハードディスク型製品を超え、市場の主流製品になることは明らかである。
【０００５】
ところが、フラッシュメモリ或いは小型ハードディスクを記憶媒体として使用するかどうかにかかわらず、各製造メーカはディジタルミュージックポータブルプレーヤを出荷し販売するとき、イヤープラグ型イヤフォンを標準付属品とする。一般的に、イヤープラグ型イヤフォンは体積が小さく、携帯が便利でかつ音質が明晰である長所を備える。ところが、イヤープラグ型イヤフォンは一般的に使用者の耳道の中に入れなければならなく、鼓膜に接近しているので、長期間使用すると常に耳に不快感または痛みを与える。
【０００６】
このほか、ボリュームは鼓膜に対して大きな衝撃を与えるので、鼓膜に対して傷害が起こりやすく、聴力を損なう恐れもある。このことに鑑み、ここ数年来、耳鼻咽喉科医師の強烈な提言によって、多くの使用者は外掛け型イヤフォン（例えば、全覆い型または耳掛け型イヤフォン）を使用してディジタルミュージックポータブルプレーヤの再生する音楽を聴き、耳及び聴力の安全及び健康を維持するようになっている。
【０００７】
ところが、図１に示すように、使用者１０が外掛け型イヤフォン２０を使用し、ディジタルミュージックポータブルプレーヤ３０の再生する音楽を聴く場合、まず吊り掛け部品４０によってディジタルミュージックポータブルプレーヤ３０を首１１に吊り掛け、それから外掛け型イヤフォン２０の信号線２１の一端のイヤフォンプラグ２２をディジタルミュージックポータブルプレーヤ３０のイヤフォンジャック（図面には示されていない）に挿入する。このために、使用者１０の体に吊り掛けられた信号線２１及び吊り掛け部品４０は使用者１０の体の動作に伴って揺れ動き、外物に引っかかりやすく、または体の正常な動作を妨害し、使用者１０に大きな不便をもたらす。
【０００８】
そのため、ディジタルミュージックポータブルプレーヤを収納することができる外掛け型イヤフォンを設計し、並びにその二者を一体に統合し、使用者が完全に吊り掛け部品及び信号線の束縛のない状況に於いて、直接そのディジタルミュージックポータブルプレーヤの制御パネル（panel）を操作し、並びに外掛け型イヤフォンを通じてディジタルミュージックポータブルプレーヤが再生した音声信号を聞くことができるようにすることは、各ディジタルミュージックポータブルプレーヤ及び外掛け型イヤフォンの製造メーカが急速に探求及び解決したい重要な課題になっている。
【考案の開示】
【考案が解決しようとする課題】
【０００９】
本考案の主な目的は、軽易にディジタルミュージックポータブルプレーヤと外掛け型イヤフォンとを一体に統合し、完全に吊り掛け部品及び信号線に束縛されない状況に於いて、使用者が心ゆくまでディジタルミュージックポータブルプレーヤの再生する音声信号を聴くことができる外掛け型無線イヤフォンを提供することである。
【００１０】
従来のディジタルミュージックポータブルプレーヤに外掛け型イヤフォンを組み合わせて使用する場合、信号線及び吊り掛け部品が外物に引っかかりやすく、または体の正常な作動を妨害するという欠点に鑑み、本考案の外掛け型イヤフォンを設計開発した。
本考案の外掛け型無線イヤフォンによると、任意の仕様のディジタルミュージックポータブルプレーヤと一体に組み合わせられ、吊り掛け部品を必要とせず、信号線の束縛を受けない状況に於いて、使用者にディジタルミュージックポータブルプレーヤが再生する音声ファイル（file）を楽しむことができる。
【課題を解決するための手段】
【００１１】
上記目的を達成するため、本考案に係る外掛け型無線イヤフォンは、二つのスピーカ座及び吊り掛けバンドを備える。二つのスピーカ座は、それぞれ吊り掛けバンドの一端に取り付けられ、吊り掛けバンドが使用者の頭部に装着されると、二つのスピーカ座は使用者の耳位置に定位され、その中の一つのスピーカ座には収納空間及び定位エレメントが設けられ、収納空間は任意の仕様のディジタルミュージックポータブルプレーヤ（例えばＭＰ３）を設置するのに用いられ、定位エレメントはディジタルミュージックポータブルプレーヤを収納空間内に堅固に定位することに用いられる。これにより、使用者は如何なる仕様のディジタルミュージックポータブルプレーヤをも外掛け型イヤフォンに軽易に統合し、並びに直接使用者の頭に装着することができ、如何なる吊り掛け部品をも必要とせず、吊り掛け部品が使用者の首に掛けられて使用者の体動作を束縛し不便を与えるのを有効に免れることができる。
【００１２】
さらに、本考案に係る外掛け型無線イヤフォンでは、収納空間の周縁には方向と位置とを調整することができるイヤフォンプラグが設けられ、イヤフォンプラグはそれぞれ信号線により二つのスピーカ座内のスピーカに接続される。このように、使用者は任意の仕様のディジタルミュージックポータブルプレーヤ（例えばＭＰ３）を外掛け型イヤフォンに統合することができ、並びに直接そのディジタルミュージックポータブルプレーヤの制御パネルを操作し、ディジタルミュージックポータブルプレーヤに記憶された音声ファイルを選び出し、かつディジタルミュージックポータブルプレーヤに発生したアナログ音声信号を、イヤフォンジャック及びイヤフォンプラグを通じてそれらスピーカからそれぞれ出力し、対応する音声及び音楽を再生して使用者はそれを聞くことができる。本考案の外掛け型無線イヤフォンにはディジタルミュージックポータブルプレーヤのイヤフォンジャックに挿入される信号線を他に設けたり増やしたりする必要がないので、使用者の体にかかって使用者を束縛したり及び不便を感じさせたりするのを有効に避けることができる。
以下、本考案の実施形態を図面に基づいて説明する。
【考案を実施するための最良の形態】
【００１３】
（第１実施形態）
本考案の第１実施形態による外掛け型無線イヤフォンとしてのイヤフォン５０は、図２に示すように、吊り掛けバンド５１及び二つのスピーカ座５２、５３を備える。各スピーカ座５２、５３は、それぞれ可動または固定で吊り掛けバンド５１の両端に取り付けられる。吊り掛けバンド５１が使用者の頭部に装着されると、それらスピーカ座５２、５３は、ちょうど使用者の耳位置に位置が定められ、使用者はそれらスピーカ座５２、５３を通じて発生した音声を聞くことができる。
【００１４】
それらスピーカ座５２、５３のうち一つのスピーカ座５２内には、収納溝５４及び定位エレメント５５が設けられ、収納溝５４は、大きさが様々なディジタルミュージックポータブルプレーヤ（例えばＭＰ３）６０を設置することに用いられる。定位エレメント５５は、収納溝５４の周縁に取り付けられ、ディジタルミュージックポータブルプレーヤ６０が収納溝５４に取り付けられた後、ディジタルミュージックポータブルプレーヤ６０を堅固に収納溝５４に固定させることができる。
【００１５】
定位エレメント５５は、弾性を備えたバンドで、その中央部分は収納溝５４の外縁を跨り、その両端はスピーカ座５２の両対応外側に固定される。このように、ディジタルミュージックポータブルプレーヤ６０が収納溝５４に取り付けられると、定位エレメント５５の中央個所はディジタルミュージックポータブルプレーヤ６０の外側に貼りつき、ディジタルミュージックポータブルプレーヤ６０は堅固に収納溝５４中に固定される。
【００１６】
ここで特に説明するのは、以上に述べたのは本考案の最適な実施形態だけであり、本考案が実際に実施される場合はこれに局限されない。およそ他の機構または取り付け具を利用し、様々な仕様（寸法及び大きさ）のディジタルミュージックポータブルプレーヤ６０を収納溝５４中に設置し、ディジタルミュージックポータブルプレーヤ６０を堅固に収納溝５４中に固定させる機構または取り付け具であれは、すべて本考案に称する定位エレメント５５である。
【００１７】
また、図２及び図３に示すように、収納溝５４の内縁底側には溝５２１が設けられ、溝５２１の中にはイヤフォンプラグ５７が設けられる。そのイヤフォンプラグ５７は、自由に回転して角度または方向を調整することができるほか、更に溝５２１に沿って移動し、寸法及び大きさの異なるディジタルミュージックポータブルプレーヤ６０の異なるイヤフォンジャック（図面には示されていない）の位置に適応することができる。イヤフォンプラグ５７は、スムーズ（smooth）にディジタルミュージックポータブルプレーヤ６０のイヤフォンジャック中に挿入されることができる。
【００１８】
イヤフォンプラグ５７は、信号線５２２によって二つのスピーカ座５２、５３内のスピーカ５２３、５３３に接続される。こうすれば、使用者は直接ディジタルミュージックポータブルプレーヤ６０の制御パネル６２を操作し、並びにディジタルミュージックポータブルプレーヤ６０のディスプレー６３を監視することができ、ディジタルミュージックポータブルプレーヤ６０中に記憶された音声ファイルに対して選択、再生、前向き走査、後向き走査、停止等制御動作を行うことができる。
【００１９】
ディジタルミュージックポータブルプレーヤ６０に発生した音声信号は、イヤフォンジャック（図面には示されていない）及びイヤフォンプラグ５７を通じてそれぞれそれらスピーカ５２３、５３３に出力され、選択された音楽は再生されて使用者はそれを聞くことができる。このように、使用者は如何なる仕様のディジタルミュージックポータブルプレーヤをも軽易に外掛け型無線イヤフォンに統合することができる。そして、直接それを使用者の頭部に装着するので、如何なる吊り掛け部品も定数外の信号線もまったくない状況下に於いて、心ゆくまでディジタルミュージックポータブルプレーヤの再生する音声信号を聴くことができ、使用者の体に吊り掛け部品または信号線が掛けられ、使用者の身体動作を束縛し不便をもたらすことを有効に免れる。
【００２０】
ここで特に説明するのは、本考案の実施形態において、溝５２１は収容溝５４の内縁底側に設置されることに局限されず、実際のニーズによって収容溝５４の内縁両側に設置されてもよい。異なる仕様（寸法及び大きさ）のディジタルミュージックポータブルプレーヤ６０が収納溝５４中に設置されて収納溝５４中に固定されると、イヤフォンプラグ５７の角度及び位置が溝５２１に沿って調整され、異なった寸法及び大きさのディジタルミュージックポータブルプレーヤ６０の異なるイヤフォンジャックの位置に適応することができ、スムーズにディジタルミュージックポータブルプレーヤ６０のイヤフォンジャックに挿入されれば、それはすべて本考案に称する溝である。
【００２１】
（第２実施形態）
本考案の第２実施形態による外掛け型無線イヤフォンとしてのイヤフォン７０は、図４に示すように、吊り掛けバンド７１及び二つのスピーカ座７２を備える。その各スピーカ座７２は、それぞれ可動または固定で吊り掛けバンド７１の両端に取り付けられる。吊り掛けバンド７１が使用者の頭部に装着されると、その二つのスピーカ座７２はちょうど使用者の耳位置に位置が定められ、使用者はその二つのスピーカ座７２を通じて発生した音声を聞くことができる。
【００２２】
二つのスピーカ座７２のうち一つのスピーカ座７２には、収納空間７４及び定位取り付け具７５が設けられる。収納空間７４は、異なる仕様のディジタルミュージックポータブルプレーヤ８０を設置することに用いられる。定位取り付け具７５は、移動可能にスピーカ座７２の収納空間７４に対応する位置に取り付けられる。ディジタルミュージックポータブルプレーヤ８０が収納空間７４に取り付けられると、定位取り付け具７５はディジタルミュージックポータブルプレーヤ８０の外側を挟みかつ当て付け、ディジタルミュージックポータブルプレーヤ８０を堅固に収納空間７４に固定することができる。定位取り付け具７５にはリリースボタン７５１が設けられ、ディジタルミュージックポータブルプレーヤ８０が定位取り付け具７５に挟まれた状態を解除することに用いられる。
【００２３】
図４に示すように、収容空間７４の底縁には支え平台７６が設けられ、ディジタルミュージックポータブルプレーヤ８０が収納空間７４に取り付けられる場合、それはディジタルミュージックポータブルプレーヤ８０の底部を支える。支え平台７６には溝７２１が設けられ、溝７２１には移動可能にイヤフォンプラグ７７が設けられる。イヤフォンプラグ７７は、自由に移動して角度、方向及び位置を調整し、異なる寸法及び大きさのディジタルミュージックポータブルプレーヤ８０の異なるイヤフォンジャック（図面には示されていない）の位置に適応することができる。
【００２４】
イヤフォンプラグ７７がディジタルミュージックポータブルプレーヤ８０のイヤフォンジャックに挿入され、ディジタルミュージックポータブルプレーヤ８０が収納空間７４に取り付けられ、かつそれの底部が支え平台７６に当て付けられると、イヤフォンプラグ７７はちょうど溝７２１内に収納され、イヤフォンプラグ７７はそれぞれ信号線７２２によって二つのスピーカ座７２内のスピーカ７２３に接続される。このように、使用者は任意の仕様のディジタルミュージックポータブルプレーヤを軽易に外掛け型イヤフォンに統合することができる。
【００２５】
直接使用者の頭に装着し、ディジタルミュージックポータブルプレーヤ８０の制御パネル８２を操作し、かつディジタルミュージックポータブルプレーヤ８０のディスプレー８３を監視することにより、ディジタルミュージックポータブルプレーヤ８０に記憶された音声ファイルに対して制御を行い、ディジタルミュージックポータブルプレーヤ８０に発生した音声信号を、イヤフォンジャック及びイヤフォンプラグ７７を通じてそれぞれ二つのスピーカ７２３に出力し、選択した音楽を再生して使用者はそれを聞くことができる。
【００２６】
このように、使用者は、吊り掛け部品または信号線のない状況に於いて、心ゆくまでディジタルミュージックポータブルプレーヤの再生する音声信号を聴くことができ、また、使用者の体に吊り掛け部品または信号線が掛けられ、使用者の身体動作を束縛し不便をもたらすことを有効に免れる。
以上に述べたのは本考案の最適な実施形態だけであり、本考案の構成及び特徴はそれに局限されず、この技術を熟知するものが本考案の領域に於いて、軽易に思い及ぶことができる変化または改修はすべて本案の特許登録請求の範囲に含まれるものとする。
【図面の簡単な説明】
【００２７】
【図１】従来のディジタルミュージックポータブルプレーヤに外掛け型無線イヤフォンを組合せて使用した状態を示す模式図である。
【図２】本考案の第１実施形態による外掛け型無線イヤフォンを示す斜視図である。
【図３】本考案の第１実施形態による外掛け型無線イヤフォンを示す斜視図である。
【図４】本考案の第２実施形態による外掛け型無線イヤフォンを示す斜視図である。
【符号の説明】
【００２８】
５０、７０：イヤフォン、５１、７１：吊り掛けバンド、５２、５３、７２：スピーカ座、５２１、７２１：溝、５２２、７２２：信号線、５２３、５３３、７２３：スピーカ、５４：収納溝、５５：定位エレメント、５７、７７：イヤフォンプラグ、６０、８０：ディジタルミュージックポータブルプレーヤ、６２、８２：制御パネル、６３、８３：ディスプレー、７４：収納空間、７５：定位取り付け具、７５１：リリースボタン、７６：支え平台
【図１】
0003140184.tif 000003
【図２】
0003140184.tif 000004
【図３】
0003140184.tif 000005
【図４】
0003140184.tif 000006